(57)【特許請求の範囲】
【請求項１】
フェース部の背面側にキャビティが設けられているヘッド本体と、該キャビティに設けられた非金属体とを有するアイアン型ゴルフクラブヘッドにおいて、
該アイアン型ゴルフクラブヘッドのヒール側及びトウ側において該非金属体の上面にそれぞれ凹部が設けられていることを特徴とするアイアン型ゴルフクラブヘッド。
【請求項２】
請求項１記載のアイアン型ゴルフクラブヘッドにおいて、前記トウ側の前記凹部のトウ・ヒール方向の長さは１０ｍｍ以上であり、前後方向の幅は２ｍｍ以上であり、深さは２ｍｍ以上であり、
前記ヒール側の前記凹部のトウ・ヒール方向の長さは１０ｍｍ以上であり、前後方向の幅は２ｍｍ以上であり、深さは２ｍｍ以上であることを特徴とするアイアン型ゴルフクラブヘッド。
【請求項３】
請求項１又は２記載のアイアン型ゴルフクラブヘッドにおいて、前記凹部は前記非金属体の上面からソール部方向に伸び、フェース面と平行であることを特徴とするアイアン型ゴルフクラブヘッド。
【請求項４】
請求項１ないし３のいずれか１項記載のアイアン型ゴルフクラブヘッドにおいて、前記非金属体は、前記キャビティの下半側に配置されていることを特徴とするアイアン型ゴルフクラブヘッド。
【請求項５】
請求項１ないし４のいずれか１項記載のアイアン型ゴルフクラブヘッドにおいて、前記ヘッド本体のトウ・ヒール方向の中央部において、フェース部の背面下部から後方に突出する下側凸部と、該下側凸部よりも上方においてフェース部の背面から後方に突出する上側凸部とが設けられていることを特徴とするアイアン型ゴルフクラブヘッド。
【請求項６】
請求項５記載のアイアン型ゴルフクラブヘッドにおいて、前記非金属体は、該下側凸部と上側凸部との間を通ってアイアン型ゴルフクラブヘッドのヒール側からトウ側まで延在していることを特徴とするアイアン型ゴルフクラブヘッド。
【請求項７】
請求項１ないし６のいずれか１項記載のアイアン型ゴルフクラブヘッドにおいて、前記非金属体は、ショアＤ硬度３０以上、ショアＤ硬度１１０以下であることを特徴とするアイアン型ゴルフクラブヘッド。
【発明の詳細な説明】
【技術分野】
【０００１】
本発明はゴルフボールを打つためのゴルフクラブのヘッドに係り、特にアイアン型ゴルフクラブヘッドに関する。詳しくは、本発明は、フェース部の背面側にキャビティが設けられているヘッド本体と、このキャビティに設けられた非金属体とを有するアイアン型ゴルフクラブヘッドに関する。
【背景技術】
【０００２】
特許文献１，２には、ゴルフクラブヘッドの外面の一部に粘弾性体が付着されると共に、該粘弾性体に重なるカバープレートが設けられている振動吸収効果に優れたゴルフクラブヘッドが記載されている。
【０００３】
特許文献３には、スイートエリアが広く、センター部でヒットしたときの打球感が良好なアイアンヘッドとして、後面の上部にキャビティ部が設けられ、後面の下部に膨出部が設けられ、該膨出部の上面からソール側に凹陥するように凹部が設けられているアイアンヘッドにおいて、該凹部は、トウ側及びヒール側に分かれて設けられているアイアンヘッドが記載されている。
【０００４】
同様にトウ側及びヒール側に空洞部が設けられたアイアンヘッドが特許文献４に記載され、同様にして溝部が設けられたアイアンゴルフクラブヘッドが特許文献５に記載されている。
【先行技術文献】
【特許文献】
【０００５】
【特許文献１】特開２０１３−２２０５７号公報
【特許文献２】特開２０１３−２２０５６号公報
【特許文献３】特開２０１２−２３５８２８号公報
【特許文献４】特開２０１１−２４９９９号公報
【特許文献５】特開２０１０−１７４７５号公報
【発明の概要】
【発明が解決しようとする課題】
【０００６】
本発明は、振動吸収性に優れ、しかもスイートエリアを大きくすることも可能なアイアン型ゴルフクラブヘッドを提供することを目的とする。
【０００７】
また、本発明は、その一態様において、打感がしっかりとしたものとなるアイアン型ゴルフクラブヘッドを提供することを目的とする。
【課題を解決するための手段】
【０００８】
本発明のアイアン型ゴルフクラブヘッドは、フェース部の背面側にキャビティが設けられているヘッド本体と、該キャビティに設けられた非金属体とを有するアイアン型ゴルフクラブヘッドにおいて、該アイアン型ゴルフクラブヘッドのヒール側及びトウ側において該非金属体にそれぞれ凹部が設けられていることを特徴とするものである。
【０００９】
本発明の一態様では、前記凹部は前記非金属体の上面に設けられている。
【００１０】
本発明の一態様では、前記非金属体は、前記キャビティの下半側に配置されている。
【００１１】
本発明の一態様では、前記ヘッド本体のトウ・ヒール方向の中央部において、フェース部の背面下部から後方に突出する下側凸部と、該下側凸部よりも上方においてフェース部の背面から後方に突出する上側凸部とが設けられている。また、前記非金属体は、該下側凸部と上側凸部との間を通ってアイアン型ゴルフクラブヘッドのヒール側からトウ側まで延在している。
【００１２】
前記非金属体は、ショアＤ硬度３０以上、ショアＤ硬度１１０以下であることが好ましい。
【発明の効果】
【００１３】
本発明のアイアン型ゴルフクラブヘッドは、フェース部の背面に非金属体を設けており、ボールを打ったときの振動吸収性に優れる。また、このアイアン型ゴルフクラブヘッドのヘッド本体はキャビティバック構造となっており、非金属体はアイアン型ゴルフクラブヘッドのヒール側及びトウ側にそれぞれ凹部を有しているため、ヒール側及びトウ側でゴルフボールを打ったときの反発性の低下を抑え、重量を周辺部に配分することができ、スイートエリアを大きくすることもできる。
【００１４】
本発明のアイアン型ゴルフクラブヘッドにおいて、フェース部背面に下側凸部と上側凸部とを設けることにより、打感がしっかりとしたものとなる。
【図面の簡単な説明】
【００１５】
【図１】実施の形態に係るアイアン型ゴルフクラブヘッドの背面図である。
【図２】図１のアイアン型ゴルフクラブヘッドの背面上方からの斜視図である。
【図３】（ａ）は図１のゴルフクラブヘッドの分解斜視図、（ｂ），（ｃ），（ｄ）は（ａ）のIIIb−IIIb線、IIIc−IIIc線、IIId−IIId線断面図である。
【図４】図１のIV−IV線に沿う断面図である。
【図５】図１のＶ−Ｖ線に沿う断面図である。
【図６】図３のVI−VI線に沿う断面図である。
【図７】寸法線を記入した図１と同一の後面図である。
【図８】寸法線を記入した図６と同一の断面図である。
【図９】（ａ）は別の実施の形態に用いられる非金属体の斜視図、（ｂ）は（ａ）のIXb−IXb線に沿う断面図である。
【図１０】さらに別の実施の形態におけるヘッド本体の背面上方からの斜視図である。
【図１１】図１０のXI−XI線に沿う断面図である。
【発明を実施するための形態】
【００１６】
以下、図１〜図８を参照して第１の実施の形態に係るアイアン型ゴルフクラブヘッドについて説明する。
【００１７】
このアイアン型ゴルフクラブヘッド１は、シャフトの先端に取り付けられるものであり、金属製のヘッド本体１０と、このヘッド本体１０のフェース部１１の背面側に接着剤や両面テープ等によって付着された非金属体２０とを備えている。
【００１８】
図３，６の通り、ヘッド本体１０は、フェース部１１と、ホゼル部１２と、ソール部１３とを有している。フェース部１１の背面側はキャビティ部１４（図３）となっている。キャビティ部１４は、ソール部１３と、トウ側凸部１５、トップ側凸部１６及びヒール側凸部１７とによって周囲が囲まれている。これらの凸部１５〜１７は、フェース部１１の周縁から後方に起立している。
【００１９】
フェース部１１の背面下部のうちトウ・ヒール方向の中央部において、下側凸部１８が後方に突設されている。この下側凸部１８は、ソール部１３の上面部１３ａに連なっている。フェース部１１の背面のうち、トウ・ヒール方向の中央部かつ下側凸部１８の上方部分に、上側凸部１９が後方に突設されている。フェース部１１の背面は、凸部１５〜１７、下側凸部１８、上側凸部１９及びソール部１３を除いて平坦面１１ｆとなっている。
【００２０】
上側凸部１９の平坦面１１ｆからの最大厚さＡ（図８）は、下側凸部１８の上面部１８ａにおける平坦面１１ｆからの最大厚さＢよりも小さい。これにより、ヘッドの重心が高くなり過ぎないようにする。下側凸部１８の後面１８ｂは、ソール部１３の後面１３ｂと面一状となっている。
【００２１】
この実施の形態では、下側凸部１８は、上部においてトウ・ヒール方向の幅が最も小さく、ソール部１３側ほどトウ・ヒール方向の幅が大きくなっている。
【００２２】
図７の通り、ゴルフクラブヘッド１を、その規定ライ角、規定ロフト角で接地面に接地させたときに、ソール部１３の後面１３ｂの接地面からの最小高さＣは、２ｍｍ以上、特に４ｍｍ以上であり、１０ｍｍ以下、特に８ｍｍ以下が好適である。下側凸部１８の後面１８ｂの接地面からの最大高さＤは１０ｍｍ以上、特に１２ｍｍ以上であり、２２ｍｍ以下、特に２０ｍｍ以下が好適である。最大高さＤが高すぎると、ヘッドの重心が高くなり過ぎてしまう場合があり、低すぎると、しっかりした打感が得られなくなる場合がある。
下側凸部１８の上面部１８ａのトウ・ヒール方向の長さＥは８ｍｍ以上、特に１０ｍｍ以上であり、２０ｍｍ以下、特に１８ｍｍ以下が好適であり、下側凸部１８のソール部１３とのトウ側境界位置１８ｔとヒール側境界位置１８ｈのトウ・ヒール方向の長さＦは１５ｍｍ以上、特に２０ｍｍ以上であり、３０ｍｍ以下、特に２８ｍｍ以下が好適である。長さＥ及び長さＦが長すぎると、ヒール側及びトウ側でゴルフボールを打ったときに反発性を低下させてしまう場合があり、短すぎると、しっかりした打感が得られなくなる場合がある。
【００２３】
図８の通り、下側凸部１８の上面部１８ａにおける平坦面１１ｆからの最大厚さＢは８ｍｍ以上、特に１０ｍｍ以上であり、２０ｍｍ以下、特に１８ｍｍ以下が好適である。最大厚さＢが厚すぎると、ヘッド重量が重くなり過ぎたり、クラブを構えた時に下側凸部１８が見え過ぎて違和感を感じる場合があり、薄すぎると、ヘッドの重心が高くなり過ぎたり、しっかりした打感が得られなくなる場合がある。
【００２４】
上側凸部１９のトウ・ヒール方向の長さＧ（図７）は１５ｍｍ以上、特に１７ｍｍ以上であり、３０ｍｍ以下、特に２５ｍｍ以下が好適である。長さＧが長すぎると、ヒール側及びトウ側でゴルフボールを打ったときに反発性を低下させてしまう場合があり、短すぎると、しっかりした打感が得られなくなる場合がある。
【００２５】
上側凸部１９の上下方向の高さＨ（図８）は２ｍｍ以上、特に３ｍｍ以上であり、７ｍｍ以下、特に６ｍｍ以下が好適である。高さＨが高すぎると、ヘッドの重心が高くなり過ぎてしまう場合があり、低すぎると、しっかりした打感が得られなくなる場合がある。
上側凸部１９の平坦面１１ｆからの最大厚さＡ（図８）は２ｍｍ以上、特に３ｍｍ以上であり、８ｍｍ以下、特に７ｍｍ以下が好適である。最大厚さＡが厚すぎると、ヘッドの重心が高くなり過ぎてしまう場合があり、薄すぎると、しっかりした打感が得られなくなる場合がある。
【００２６】
下側凸部１８と上側凸部１９との最小距離Ｉ（図８）は１ｍｍ以上、特に２ｍｍ以上であり、５ｍｍ以下、特に４ｍｍ以下が好適である。最小距離Ｉが大きすぎると、下側凸部１８及び上側凸部１９を配置する上で、ヘッド重心設計等に影響を与える場合があり、小さすぎると、ここに配置される非金属体２０による振動吸収の効果が不十分となる場合がある。
【００２７】
キャビティ１４は、下側凸部１８及び上側凸部１９よりもトウ側のトウ側キャビティ１４ａと、ヒール側のヒール側キャビティ１４ｂと、下側凸部１８と上側凸部１９との間の中央キャビティ１４ｃとを有している。
【００２８】
非金属体２０は、トウ側キャビティ１４ａに配置されたトウ側部２１と、ヒール側キャビティ１４ｂに配置されたヒール側部２２と、これらをつないでおり、中央キャビティ１４ｃに配置されたつなぎ部２３とを有する。
【００２９】
トウ側部２１及びヒール側部２２の上面２１ａ，上面２２ａからは、下方に向って凹部２４，凹部２５が設けられている。また、つなぎ部２３の上面２３ａには、上側凸部１９が係合した切欠形状部２６が設けられている。
【００３０】
非金属体２０をキャビティ１３に装着した状態において、非金属体２０の前面はフェース部１１の平坦面１１ｆに当接し、下面はソール部１３の上面１３ａ及び下側凸部１８の上面１８ａに当接し、切欠形状部２６は上側凸部１９に当接し、キャビティの下半側に配置されている。また、非金属体２０の後面は、ソール部１３、トウ側凸部１５、ヒール側凸部１７及び下側凸部１８の後面と面一状か、それよりもごくわずかにフェース部１１側となっている。
【００３１】
上側凸部１９の上面は、非金属体２０の上面よりも若干上方に位置している。
【００３２】
トウ側の凹部２４のトウ・ヒール方向の長さは１０ｍｍ以上、特に１５ｍｍ以上であり、３０ｍｍ以下、特に２５ｍｍ以下が好適である。この凹部２４の前後方向（フェース部１１の背面と垂直方向）の幅は２ｍｍ以上、特に３ｍｍ以上であり、７ｍｍ以下、特に６ｍｍ以下が好適である。凹部２４の深さは２ｍｍ以上、特に３ｍｍ以上であり、１５ｍｍ以下、特に１４ｍｍ以下が好適である。
【００３３】
ヒール側の凹部２５のトウ・ヒール方向の長さは１０ｍｍ以上、特に１３ｍｍ以上であり、２５ｍｍ以下、特に２２ｍｍ以下が好適である。この凹部２５の前後方向（フェース部１１の背面と垂直方向）の幅は２ｍｍ以上、特に３ｍｍ以上であり、７ｍｍ以下、特に６ｍｍ以下が好適である。凹部２５の深さは２ｍｍ以上、特に３ｍｍ以上であり、１０ｍｍ以下、特に９ｍｍ以下が好適である。
【００３４】
凹部２４及び凹部２５について、トウ・ヒール方向の長さ、前後方向の幅、深さが小さすぎると、ヒール側及びトウ側でゴルフボールを打ったときに反発性を低下させてしまう場合がある。
【００３５】
なお、凹部２４，凹部２５の深さは、それぞれトウ・ヒール方向において均一であってもよく、不均一であってもよい。例えば、凹部２４，凹部２５は、各々の下側凸部１８側が最も深く、それから離れるほど浅くなるように構成されてもよい。この場合、平均の深さが上記範囲であればよい。
【００３６】
非金属体２０の材料の硬度は、下限値としてショアＤ硬度３０以上、好ましくはショアＤ硬度７０以上、上限値としてはショアＤ硬度１１０以下、好ましくはショアＤ硬度１００以下である。硬度が低すぎると、どこかに衝突したときに非金属体２０が傷つくおそれがあり、硬度が高すぎると、非金属体２０を変形させてゴルフクラブヘッド１に装着させるような事が難しく、ゴルフクラブヘッド１や非金属体２０の製造上の形状のバラツキに対応できない場合がある。非金属体２０の材料としては、ゴム又は樹脂等からなる材料が挙げられる。ゴムとしては、例えば天然ゴム、ポリブタジエンゴム、スチレンブタジエンゴム、イソプレンゴム等が挙げられる。樹脂としては、例えばアイオノマー樹脂、ウレタン樹脂、ポリエステル樹脂、ポリアミド樹脂等が挙げられる。特に、ウレタン樹脂が好適である。
【００３７】
このように構成されたアイアン型ゴルフクラブヘッド１にあっては、キャビティ１４に非金属体２０を設けており、ボールヒット時に非金属体２０が振動を吸収するので、打感が心地良いものとなる。また、ヘッド本体１０がキャビティバック構造となっていると共に、非金属体２０のトウ側及びヒール側にそれぞれ凹部２４，２５を設けているので、ヒール側及びトウ側でゴルフボールを打ったときの反発性の低下を抑え、重量を周辺に配分することができ、スイートエリアが大きいものとなる。
【００３８】
この実施の形態では、ヘッド本体１０のフェース部１１の背面のトウ・ヒール方向の中央部に下側凸部１８及び上側凸部１９を設けているので、打感がしっかりとしたものとなり、マッスルバックタイプのアイアン型ゴルフクラブヘッドの打感に近づけることができる。また、この下側凸部１８と上側凸部１９との間が中央キャビティ１４ｃとなっており、この部分にも非金属体２０が配材されているので、フェース部１１のセンターでボールをヒットしたときの振動が吸収され易い。
【００３９】
上記実施の形態では、２個の凹部２４，２５が設けられているが、３個以上の凹部が設けられてもよい。凹部は非金属体２０の上面からではなく、後面から設けられてもよい。
【００４０】
上記実施の形態の非金属体２０では、凹部２４，凹部２５は凹穴状に設けられているが、非金属体２０を貫通してもよい。また、図９に示す非金属体２０Ａのように、切欠状の凹部２４Ａ，凹部２５Ａとされてもよい。図９の非金属体２０Ａのその他の構成は非金属体２０と同一であり、同一符号は同一部分を示している。凹部２４Ａ、凹部２５Ａは非金属体２０Ａのフェース部１１側に位置しているが、それと反対側に位置してもよい。
【００４１】
本発明では、図１０，１１に示すヘッド本体１０Ａのように、上側凸部１９と下側凸部１８とをつなぐように中間凸部１９ｔを設けてもよい。この中間凸部１９ｔの平坦面１１ｆからの最大厚さは、上側凸部１９の平坦面１１ｆからの最大厚さＡ及び下側凸部１８の上面部１８ａにおける平坦面１１ｆからの最大厚さＢよりも小さい。
【００４２】
本発明は上記の実施の形態に制限されるものではない。
【符号の説明】
【００４３】
１  アイアン型ゴルフクラブヘッド
１０，１０Ａ  ヘッド本体
１３  ソール部
１４  キャビティ
１８  下側凸部
１９  上側凸部
２０，２０Ａ  非金属体
２４，２４Ａ，２５、２５Ａ  凹部
【図１】
0006405756.tif 000002
【図２】
0006405756.tif 000003
【図３】
0006405756.tif 000004
【図４】
0006405756.tif 000005
【図５】
0006405756.tif 000006
【図６】
0006405756.tif 000007
【図７】
0006405756.tif 000008
【図８】
0006405756.tif 000009
【図９】
0006405756.tif 000010
【図１０】
0006405756.tif 000011
【図１１】
0006405756.tif 000012